(57)【要約】【課題】幼児が勝手に収納装置Ｓの扉８を開けるのを簡単な機構で防ぐ。【解決手段】扉８の表面に、扉８を開閉操作するための把手部材１５を、扉８表面に沿ってロック位置とアンロック位置との間をスライド状態で進退可能に支持し、この把手部材１５がアンロック位置からロック位置に向かって前進するときの前端部にラッチ１８を設ける。収納装置本体１には、扉８が閉じかつ把手部材１５がロック位置にあるときにラッチ１８が係合するラッチ受け４を設け、把手部材１５の後方に把手部材１５を前進方向に付勢する圧縮ばね２１を設ける。扉８を開く際には、把手部材１５のアンロック位置へのスライド操作とその後の引き操作との２段階の操作で行う。【選択図】図４
2014152580.tif 000002
【特許請求の範囲】
【請求項１】
開口部を有する収納装置本体と、該収納装置本体に揺動可能に支持され、開口部を開閉する扉とを備え、該扉を閉じ状態にロック保持するようにしたロック機能付き収納装置であって、
上記扉の表面側に、扉表面に沿ってロック位置及びアンロック位置の間をスライド状態で進退可能にかつ扉表面と直交する方向に移動不能に支持され、扉を開閉操作するための把手部材と、
上記把手部材がアンロック位置からロック位置に向かって前進するときの前端部に設けられたラッチと、
上記収納装置本体に設けられ、扉が閉じかつ把手部材がロック位置にあるときに上記ラッチが係合するラッチ受けと、
上記把手部材を上記ラッチがラッチ受けに係合するように前進方向に付勢する付勢手段とを備えたことを特徴とするロック機能付き収納装置。
【請求項２】
請求項１において、
扉の表面に把手部材を収容する凹部が設けられ、
上記把手部材は、スライド方向の前後端部を上記凹部の対向する側壁に貫通させた状態で扉に進退可能に支持されていることを特徴とするロック機能付き収納装置。
【請求項３】
請求項１又は２において、
ラッチは、把手部材の前端側に向かって扉の表面側に向かうように傾斜した傾斜面を有することを特徴とするロック機能付き収納装置。
【請求項４】
請求項１〜３のいずれか１つにおいて、
把手部材が後退するときの後方の扉にばね受部が設けられ、
付勢手段は、把手部材の後端と上記ばね受部との間に縮装された圧縮ばねであることを特徴とするロック機能付き収納装置。
【発明の詳細な説明】
【技術分野】
【０００１】
本発明は、扉を閉じ状態にロック保持できるようにしたロック機能付き収納装置に関する。
【背景技術】
【０００２】
一般に、収納装置においては、その扉を幼児が勝手に開けることがあり、内部に例えば刃物等の危険物、食器や重要書類等が収納されている場合、幼児が危険物を触って怪我をしたり、食器や重要書類等を破損したりする虞れがある。このような怪我や破損等に至るのを防ぐために、従来、特許文献１や特許文献２に示されているように、既存の扉に後付される扉開き防止装置が知られている。
【０００３】
また、特許文献３に示されるように、開閉用の磁石を用いて扉裏側のロック機構を操作するようにしたものも提案されている。
【先行技術文献】
【特許文献】
【０００４】
【特許文献１】特開２００４−３６０１９２号公報
【特許文献２】実用新案登録第２５３１７０４号公報
【特許文献３】特開平５−３４０１４５号公報
【発明の概要】
【発明が解決しようとする課題】
【０００５】
ところが、上記特許文献１及び２のものでは、扉開き防止装置が既存の扉に粘着テープにより取り付けられるので、その扉開き防止装置を容易に取り付け得るものの、取付状態の外観上の見映えが悪いとともに、長期間に亘り使用したときに粘着テープが劣化して外れてしまうという問題がある。
【０００６】
一方、特許文献３のロック機構では、粘着テープによる後付けではないので、外観上の見映えがよく、粘着テープの劣化による脱落が生じることはない。また、扉表面側に操作のためのつまみ等が設けられていないので、幼児が扉外側から悪戯して扉が開くこともない。しかし、構造が複雑になるだけでなく、仮に開閉用の磁石を紛失した場合には、扉を開けることができなくなってしまうこととなる。
【０００７】
本発明は斯かる諸点に鑑みてなされたものであり、その目的は、収納装置における扉の開閉ロック機構に工夫を加えることで、簡単な機構でありながら、幼児が勝手に扉を開けるのを防ぎ得るようにすることにある。
【課題を解決するための手段】
【０００８】
上記の目的を達成するために、この発明では、扉を開閉操作するための把手部を、扉を閉じ状態に保持するためのロック機構と兼用するようにした。
【０００９】
具体的には、第１の発明は、開口部を有する収納装置本体と、この収納装置本体に揺動可能に支持され、開口部を開閉する扉とを備え、この扉を閉じ状態にロック保持するようにしたロック機能付き収納装置が対象である。
【００１０】
そして、上記扉の表面側に、扉表面に沿ってロック位置及びアンロック位置の間をスライド状態で進退可能にかつ扉表面と直交する方向に移動不能に支持され、扉を開閉操作するための把手部材と、この把手部材がアンロック位置からロック位置に向かって前進するときの前端部に設けられたラッチと、上記収納装置本体に設けられ、扉が閉じかつ把手部材がロック位置にあるときに上記ラッチが係合するラッチ受けと、上記把手部材を上記ラッチがラッチ受けに係合するように前進方向に付勢する付勢手段とを備えたことを特徴とする。
【００１１】
この第１の発明では、扉を閉じ状態にロック保持しているときには、把手部材がロック位置にあって、そのラッチが収納装置本体のラッチ受けに係合しており、このラッチとラッチ受けとの係合により扉が閉じ状態にロック保持される。把手部材は付勢手段により前進方向に付勢されるので、その端部のラッチとラッチ受けとの係合が安定して保たれ、扉が開くことはない。
【００１２】
この閉じ状態にある扉を開くときには、把手部材を把持し、まず、その把手部材を付勢手段の付勢力に抗して後退方向にスライドさせ、アンロック位置に移動させる。このアンロック位置では、把手部材のラッチが収納装置本体のラッチ受けから外れて両者の係合が解除される。引き続き、その把手部材を把持したままで手前側に引くことで、把手部材が扉表面と直交する方向に移動不能に支持されている扉も把手部材と共に引き操作され、その扉が回動して開く。この開いた扉を再度閉じるときには、上記開き動作と逆の動作が行われる。
【００１３】
そして、扉に設けられている把手部材は、扉を開閉操作するために把持して手前側に引き操作される通常一般の把手部（取っ手）と同じに見え、それがスライドするものとは判別できないだけでなく、上記のように扉を開く際には、把手部材のアンロック位置へのスライド操作とその後の引き操作との２段階の操作が必要であり、しかもそのスライド操作では付勢手段の付勢力に抗する力が必要であるので、これらの作用により、幼児が扉を開くことは困難になり、幼児が勝手に扉を開けるのを防止することができる。
【００１４】
また、把手部材を把持したままスライド移動させると同時に扉を開閉操作するので、簡単な機構で、操作に手間をかけずに扉の開閉を行うことができる。
【００１５】
さらに、上記把手部材は扉を開くために把持するものであり、この把手部材の端部に、収納装置本体のラッチ受けと係合するラッチが設けられているので、これらの一体化により見た目にすっきりとした意匠となって外観意匠性を高めることができる。
【００１６】
第２の発明は、第１の発明において、扉の表面に把手部材を収容する凹部が設けられ、上記把手部材は、スライド方向の前後端部を上記凹部の対向する側壁に貫通させた状態で扉に進退可能に支持されていることを特徴とする。
【００１７】
この第２の発明では、凹部内に収容された把手部材がその端部を凹部の側壁に貫通させた状態で支持されているので、扉に対し把手部材を簡単な構造でかつ確実にスライド移動可能に支持することができる。
【００１８】
また、扉の表面には凹部内に収容された把手部材が露出するだけであり、外観の意匠性を高めることができる。
【００１９】
第３の発明は、第１又は第２の発明において、ラッチは、把手部材の前端側に向かって扉の表面側に向かうように傾斜した傾斜面を有することを特徴とする。
【００２０】
この第３の発明では、開いた扉を閉めるときに、把手部材を把持することなく扉を閉じ方向に回動させると、把手部材は付勢手段によってロック位置に位置付けられたまま、ラッチの傾斜面が収納装置本体におけるラッチ受けの表側部分に当たって押され、その分力により把手部材がロック位置からアンロック位置に後退する。ラッチの先端部がラッチ受けの表側部分を越えてラッチ受けに入ると、付勢手段の付勢力によって把手部材がロック位置に前進し、ラッチとラッチ受けとの係合により扉が閉じ状態にロック保持される。こうすれば、把手部材を操作することなく扉を閉じ方向に回動させるだけで閉じ状態にロック保持することができ、その操作が容易となり、利便性が向上する。
【００２１】
第４の発明は、第１〜第３の発明のいずれか１つにおいて、把手部材が後退するときの後方の扉にばね受部が設けられ、付勢手段は、把手部材の後端と上記ばね受部との間に縮装された圧縮ばねであることを特徴とする。
【００２２】
この第４の発明では、付勢手段は、把手部材の後端と扉におけるばね受部との間に圧縮ばねが縮装され、この圧縮ばねにより把手部材が前進方向に付勢されるので、簡単な構造の付勢手段が容易に得られる。
【発明の効果】
【００２３】
以上説明したように、第１の発明によると、収納装置の扉表面側に、ロック位置及びアンロック位置の間をスライド状態で進退する把手部材を設け、この把手部材の前端部にラッチを設け、収納装置本体に、扉が閉じかつ把手部材がロック位置にあるときにラッチと係合するラッチ受けを設け、把手部材を前進方向に付勢する付勢手段を設けたことにより、扉を開く際に、付勢手段の付勢力に抗する力で把手部材のアンロック位置へのスライド操作とその後の引き操作との２段階の操作を必要とし、幼児が勝手に扉を開けるのを防止することができるとともに、簡単な機構で操作に手間をかけずに扉の開閉を行うことができ、さらには、扉を開くために把持する把手部材と、その端部に設けられたラッチとの一体化により外観意匠性を高めることができる。
【００２４】
第２の発明によると、扉の表面に把手部材を収容する凹部を設け、把手部材をその前後端部が凹部の側壁を貫通した状態で扉に進退可能に支持したことにより、扉に対し把手部材を簡単な構造でかつ確実にスライド移動可能に支持できるとともに、扉表面には凹部内の把手部材を露出させて、外観の意匠性を高めることができる。
【００２５】
第３の発明によると、ラッチは、把手部材の前端側に向かって扉の表面側に向かうように傾斜した傾斜面を有するものとしたことにより、把手部材をアンロック位置に移動操作することなく扉を閉じ方向に回動させるだけで閉じ状態にロック保持することができ、その操作が容易となって利便性の向上を図ることができる。
【００２６】
第４の発明によると、把手部材の進退方向後方の扉にばね受部を設け、このばね受部と把手部材の後端との間に付勢手段としての圧縮ばねを縮装したことにより、簡単な構造の付勢手段が容易に得られる。
【図面の簡単な説明】
【００２７】
【図１】図１は、本発明の実施形態に係るロック機能付き収納装置の正面図である。
【図２】図２は、収納装置の平面図である。
【図３】図３は、収納装置の側面断面図である。
【図４】図４は、図５のIV−IV線断面図である。
【図５】図５は、要部の拡大正面図である。
【図６】図６は、扉の表板部を取り除いた状態を示す図５相当図である。
【図７】図７は、扉を開くときの把手部材の操作方法を示す斜視図である。
【発明を実施するための形態】
【００２８】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２９】
図１〜図３は本発明の実施形態に係るロック機能付き収納装置Ｓを示し、この収納装置Ｓは、前側に開口部２を有する矩形箱状の収納装置本体１と、この収納装置本体１の前端部に揺動可能に支持され、開口部２を開閉する揺動型（回動型）の扉８とを備えている（図２では、開いた扉８を仮想線にて示す）。
【００３０】
収納装置本体１における左側板１ａの内面前端には、その所定高さの位置に該内面を矩形状に凹陥させてなるラッチ受け４が形成され、このラッチ受け４は、扉８が閉じかつ後述する把手部材１５がロック位置にあるときにラッチ１８が係合するものである。
【００３１】
一方、扉８は矩形板状のもので、その裏面側の右端部にて例えば上下２つの内部スライド蝶番７，７（図２で上側のもののみを示す）を介して収納装置本体１の右側板１ｃの内面に揺動可能に支持されている。この扉８が図２で時計回り方向に回動して収納装置本体１の開口部２を閉じたときに、扉８の上端部及び左右端部が収納装置本体１の開口部２内に嵌り込みかつ下端部が収納装置本体１の底板１ｂ前側に位置するように該開口部２を閉じる。
【００３２】
扉８は、図４〜図６に拡大して示すように、互いに同じ大きさの薄い面材からなる表板部８ａ及び裏面部８ｂを両者間に周囲の縦枠８ｃ及び横枠（図示せず）を介在させて接合一体化したフラッシュ構造のものであり、上記収納装置本体１のラッチ受け４に対応する高さ位置の表板部８ａには、扉８の左端（回動端）寄りの位置に矩形状の開口９が貫通形成され、この開口９の左側の表板部８ａと裏面部８ｂとの間に上記縦枠８ｃが配置されている。また、開口９上側の表板部８ａと裏面部８ｂとの間には上側補強桟８ｄが、また開口９下側の表板部８ａと裏面部８ｂとの間には下側補強桟８ｅが、さらに開口９右側の表板部８ａと裏面部８ｂとの間には右側補強桟８ｆがそれぞれ配置され、これらの補強桟８ｄ〜８ｆ及び縦枠８ｃは、上記表板部８ａの開口９を取り囲むように配置されて表板部８ａと裏面部８ｂとに接合されている。この構造により、扉８の表面には、表板部８ａの開口９に対応する部分に把手部材１５を収容するための凹部１０が形成されており、その凹部１０の左側壁は表板部８ａの開口９の左側縁ないし縦枠８ｃの右側面で、また凹部１０の右側壁は開口９の右側縁ないし右側補強桟８ｆの左側面でそれぞれ構成されている。また、凹部１０の上側壁は表板部８ａの開口９の上側縁ないし上側補強桟８ｄの下側面で、また凹部１０の下側壁は開口９の下側縁ないし下側補強桟８ｅの上側面でそれぞれ構成されている。そして、上記凹部１０の左右に対向する側壁である縦枠８ｃ及び右側補強桟８ｆには、上記ラッチ受け４に対応する高さ位置に、水平方向に延びる断面矩形状の把手部材挿通孔１１，１１が凹部１０内を通って連続するように貫通形成されている。
【００３３】
さらに、上記右側補強桟８ｆの右側には、把手部材挿通孔１１の高さ位置の上下両側に互いに把手部材挿通孔１１と同じ間隔をあけて位置する上側及び下側のばね用補強桟８ｇ，８ｇと、これらのばね用補強桟８ｇ，８ｇの右端部同士を接続する右側ばね用補強桟８ｈとが配置され、これらの補強桟８ｇ，８ｇ，８ｈも表板部８ａと裏面部８ｂとに接合されている。この構造により、３つの補強桟８ｇ，８ｇ，８ｈと表板部８ａ及び裏面部８ｂとに囲まれた部分に把手部材挿通孔１１と連続するばね収容部１２が形成されている。尚、図１〜図３では縦枠８ｃ、上側補強桟８ｄ、下側補強桟８ｅ、下側補強桟８ｅ、ばね用補強桟８ｇ，８ｈを示していない。
【００３４】
そして、上記縦枠８ｃ及び右側補強桟８ｆの把手部材挿通孔１１，１１内に断面矩形状の棒材からなる把手部材１５がスライド状態で進退可能に挿通されて支持されている。すなわち、把手部材１５は、進退する前後端部が凹部１０の対向する側壁の一部である縦枠８ｃ及び右側補強桟８ｆを貫通することで、扉８の表面側に進退可能に支持されている。この把手部材１５は扉８を開閉操作するためのもので、扉８の表面に沿って左右方向にスライド状態で進退可能にかつ扉８の表面と直交する方向に移動不能に支持され、左方向に前進移動したときには所定のロック位置に、また右方向に後退移動したときには所定のアンロック位置にそれぞれ位置付けられるように、これらの間をスライドする。
【００３５】
上記把手部材１５がアンロック位置からロック位置に向かって前進するときの前端部に相当する左端部にはラッチ１８（ラッチボルトともいう）が形成されている。このラッチ１８は、扉８が閉じ状態にありかつ把手部材１５がロック位置にあるときに、上記収納装置本体１における左側板１ａのラッチ受け４に係合するもので、把手部材１５の左端部の裏側隅角部を斜めに切り欠くことで、把手部材１５の左端部（前端側）に向かって扉８の表面側に向かうように傾斜した傾斜面１９を有する。尚、ラッチ１８（把手部材１５）の扉表裏方向（収納装置本体１の奥行き方向）の厚さｔは、ラッチ受け４の開口の同寸法ｄよりも小さい寸法に形成されており（ｔ＜ｄ）、両者の間に、ラッチ１８がラッチ受け４に係合しなかったりすること等を回避するためのクリアランスが設けられている。
【００３６】
さらに、上記３つの補強桟８ｄ，８ｅ，８ｆと表板部８ａ及び裏面部８ｂとに囲まれた部分に位置するばね収容部１２には、付勢手段としての圧縮ばね２１が収容されている。上記右側ばね用補強桟８ｈは、把手部材１５が後退するときの後方の扉８に形成されたばね受部を構成しており、この右側ばね用補強桟８ｈと把手部材１５の後端との間に圧縮ばね２１が縮装され、この圧縮ばね２１により、上記把手部材１５を前進する方向（左方向）に付勢している。この圧縮ばね２１の付勢力（ばね力）としては、例えば大人が把手部材１５をアンロック方向にスライド操作できるが、幼児では困難な程度に設定される。具体例を示すと、圧縮ばね２１は、例えば線径１．６ｍｍ、外径１５ｍｍ、自由長７０ｍｍのＳＵＳ３０４等のステンレス鋼からなり、ばね定数が１．５５Ｎ／ｍｍ程度のものが用いられる。この場合、把手部材１５を１０ｍｍ程度右方向にスライド移動（後退）させてラッチ１８をラッチ受け４から外すのに１６Ｎ（約１．６ｋｇｆ）の操作力が必要になる。
【００３７】
また、圧縮ばね２１が自然長の状態（非圧縮状態）にあるときに、丁度把手部材１５がロック位置に位置付けられてラッチ１８がラッチ受け４に係合し、そのロック位置から把手部材１５をアンロック位置にスライドさせたときに初めて圧縮ばね２１に付勢力が発生するようになっている。そのため、ラッチ１８が必要以上に突出して収納装置本体１の左側板１ａと干渉することで、扉８が閉められなくなるのを防ぐためのストッパ構造は別途に不要である。尚、把手部材１５がロック位置にあっても付勢力が生じるように圧縮ばね２１のばね力を設定してもよく、その場合はストッパ構造が必要となる。
【００３８】
上記収納装置本体１の外底面には４つのキャスター２３，２３，…が取り付けられており、これらのキャスター２３，２３，…により収納家具Ｓが移動可能とされている。また、図３中、２４は収納装置本体１内に取り付けられた左右方向に延びる棚板で、左右前後の端部でダボ２５，２５，…によって収納装置本体１の左右側板１ａ，１ｃの内面に支持されている。
【００３９】
次に、上記実施形態のロック機能付き収納装置Ｓにおける扉８の開閉動作について説明する。扉８を閉じ状態にロック保持しているときには、把手部材１５がロック位置にあり、そのラッチ１８が扉８の左側木口面から突出した状態で収納装置本体１のラッチ受け４に係合し、このラッチ１８とラッチ受け４との係合により扉８が閉じ状態にロック保持される。ラッチ１８がラッチ受け４との係合が外れる方向に後退しようとしても、そのときには、把手部材１５は圧縮ばね２１の伸長付勢力により前進方向に付勢されるので、その端部のラッチ１８とラッチ受け４との係合が安定して保たれ、よって扉８が開くことはない。
【００４０】
この閉じ状態にある扉８を開くときには、図７に示すように、把手部材１５を把持し、その状態で、まず、図７に示す矢印Ａのように、把手部材１５を圧縮ばね２１の伸長付勢力に抗して右方向（後退方向）にスライドさせ、アンロック位置に移動させる。このアンロック位置では、把手部材１５左端のラッチ１８が収納装置本体１のラッチ受け４から外れて両者の係合が解除される。引き続き、図７に示す矢印Ｂのように、その把手部材１５を把持したままで手前側に引くことで、把手部材１５が扉８と共に引き操作され、その扉８が手前側に回動して開く。このように扉８が開いた後に把手部材１５から手を離すと、把手部材１５は圧縮ばね２１の付勢力によってロック位置に戻り、ラッチ１８が扉８の左側木口面から突出した状態となる。
【００４１】
そして、この開いた扉８を再度閉じるときには、上記開き動作と逆の動作が行われる。
【００４２】
そのとき、上記ラッチ１８は、把手部材１５の前端側に向かって扉８の表面側に向かうように傾斜した傾斜面１９を有するので、開いた扉８を閉める際、把手部材１５を把持することなく扉８を閉じ方向に回動させると、把手部材１５は圧縮ばね２１によってロック位置に保たれたまま、ラッチ１８の傾斜面１９が収納装置本体１におけるラッチ受け４の表側部分に当たって押され、その分力により把手部材１５が圧縮ばね２１の伸長付勢力に抗してロック位置からアンロック位置に後退する。そして、ラッチ１８の先端部がラッチ受け４の表側部分を越えてラッチ受け４に入ると、圧縮ばね２１の付勢力によって把手部材１５がロック位置に前進し、ラッチ１８がラッチ受け４に係合して扉８が閉じ状態にロック保持される。このように把手部材１５が圧縮ばね２１によって前進方向に付勢されていることを利用して、把手部材１５を敢えてアンロック位置に操作することなく扉８を閉じ方向に回動させるだけで閉じ状態にロック保持することができ、その操作が容易となり、利便性が向上する。
【００４３】
したがって、この実施形態においては、扉８に設けられている把手部材１５は、扉８を開閉操作するために把持して手前側に引き操作される通常一般の把手部（取っ手）と同じものに見え、それがスライドするものとは判別できないだけでなく、上記のように扉８を開く際には、把手部材１５のアンロック位置へのスライド操作とその後の引き操作との２段階の操作が必要であり、しかもそのスライド操作では圧縮ばね２１を圧縮する力（その伸長付勢力に抗する力）が必要であるので、大人のみが扉８を開くことができ、幼児が扉８を開くことは困難になり、幼児が勝手に扉８を開けるのを防止することができる。
【００４４】
また、把手部材１５を把持したままスライド移動させると同時に扉８を開閉操作するので、簡単な機構で、操作に手間をかけずに扉８の開閉を行うことができる。
【００４５】
さらに、把手部材１５は扉８を開くために把持するものであり、この把手部材１５の端部に、収納装置本体１のラッチ受け４と係合するラッチ１８が一体に設けられているので、これらの一体化により見た目にすっきりとした意匠となり、外観意匠性を高めることができる。
【００４６】
また、扉８の表面に把手部材１５を収容する凹部１０が設けられ、把手部材１５は、左右端部（前後端部）を凹部１０の対向する側壁である縦枠８ｃ及び右側補強桟８ｆに貫通させた状態で扉８に進退可能に支持されているので、扉８に対し把手部材１５を簡単な構造でかつ確実にスライド移動可能に支持することができる。しかも、扉８の表面には凹部１０と、その内部に収容された把手部材１５とが露出するだけとなり、外観の意匠性を高めることができる。
【００４７】
さらにまた、把手部材１５の進退方向後方の扉８にばね受部としての右側ばね用補強桟８ｈが設けられ、この右側ばね用補強桟８ｈと把手部材１５の後端との間に圧縮ばね２１が縮装されているので、把手部材１５を前進する方向に付勢するための簡単な構造の付勢手段が容易に得られる。
【００４８】
（その他の実施形態）
尚、上記実施形態では、ラッチ１８に傾斜面１９を設けているが、この傾斜面１９は必ずしも必要でない。しかし、扉８を閉じるときに把手部材１５を把持してアンロック位置に操作せずとも扉８の閉じ方向への回動だけで閉じ状態にロック保持できる点で、傾斜面１９を設けておくのが好ましい。
【００４９】
また、上記実施形態では、扉８の表面に凹部１０を設け、その凹部１０内に把手部材１５を収容して、把手部材１５の前後端部を凹部１０の対向する左右側壁（縦枠８ｃ及び右側補強桟８ｆ）に貫通させた状態で支持するようにしているが、本発明はこのような構造に限定されず、把手部材１５をその全体が剥き出しの状態で扉８の表面側に支持するようにしてもよい。
【００５０】
さらに、上記実施形態では、扉８の内部に圧縮ばね２１を縮装しているが、把手部材１５をアンロック位置からロック位置に付勢する付勢手段としては、この実施形態の構造に限定されず、その付勢機能を有する他の構造のばねや弾性体等を用いることもできる。
【００５１】
また、上記実施形態では、把手部材１５を左右方向にスライドさせるようにしているが、他の方向、例えば上下方向にスライドさせるようにしてもよい。
【産業上の利用可能性】
【００５２】
本発明は、扉を開く際に２段階の操作を必要として幼児が勝手に扉を開けるのを簡単な機構で防止できるので、極めて有用であり、産業上の利用可能性が高い。
【符号の説明】
【００５３】
Ｓ  ロック機能付き収納装置
１  収納装置本体
２  開口部
４  ラッチ受け
８  扉
８ｃ  縦枠（対向側壁）
８ｆ  右側補強桟（対向側壁）
８ｈ  右側ばね用補強桟（ばね受部）
１０  凹部
１５  把手部材
１８  ラッチ
１９  傾斜面
２１  圧縮ばね（付勢手段）
【図１】
2014152580.tif 000003
【図２】
2014152580.tif 000004
【図３】
2014152580.tif 000005
【図４】
2014152580.tif 000006
【図５】
2014152580.tif 000007
【図６】
2014152580.tif 000008
【図７】
2014152580.tif 000009